(57)【要約】【課題】電動機及びファンによる振動が、電源接続プラグの電気接点に直接伝わることを防止する。【解決手段】電動機１１２及び当該電動機１１２により回転するファン１１３を有するケーシング部１１と、ケーシング部１１を支持する支持部材１２と、支持部材１２をライティングダクト３に固定する取付けプラグ１４と、ライティングダクト３の電極３２に電気的に接続される電気接点１５４を有し、取付けプラグ１４とは別体に構成された電源接続プラグ１５と、電動機１１２と電気接点１５４とを接続する電源コード（電源入力コード１６及び電源出力コード１７）とを備えた。【選択図】図１
2017066987.tif 000002
【特許請求の範囲】
【請求項１】
電動機及び当該電動機により回転するファンを有するケーシング部と、
前記ケーシング部を支持する支持部材と、
前記支持部材をライティングダクトに固定する取付けプラグと、
前記ライティングダクトの電極に電気的に接続される電気接点を有し、前記取付けプラグとは別体に構成された電源接続プラグと、
前記電動機と前記電気接点とを接続する電源コードと
を備えた送風装置。
【請求項２】
前記取付けプラグ又は前記電源接続プラグに内蔵され、前記電動機を制御する制御回路を備えた
ことを特徴とする請求項１記載の送風装置。
【請求項３】
前記支持部材又は前記取付けプラグに設けられ、前記ケーシング部からの振動を絶縁する振動絶縁機構を備えた
ことを特徴とする請求項１又は請求項２記載の送風装置。
【請求項４】
前記支持部材は、前記ケーシング部を、当該支持部材に対して、前記ライティングダクトの設置面に対して垂直な面に沿って回動可能に連結するケーシング連結部を有する
ことを特徴とする請求項１から請求項３のうちのいずれか１項記載の送風装置。
【請求項５】
前記支持部材は、前記ケーシング部を、当該支持部材に対して、前記ライティングダクトの設置面に対して垂直な面に沿って回動可能に連結するケーシング連結部を有し、
前記制御回路は、前記ケーシング部の前記回動を制御する
ことを特徴とする請求項２記載の送風装置。
【請求項６】
前記支持部材は、当該支持部材を、前記取付けプラグに対して、前記ライティングダクトの設置面の垂線周りに回動可能に連結する支持部材連結部を有する
ことを特徴とする請求項１から請求項５のうちのいずれか１項記載の送風装置。
【請求項７】
前記支持部材は、当該支持部材を、前記取付けプラグに対して、前記ライティングダクトの設置面の垂線周りに回動可能に連結する支持部材連結部を有し、
前記制御回路は、前記支持部材の前記回動を制御する
ことを特徴とする請求項２又は請求項５記載の送風装置。
【請求項８】
前記取付けプラグは、
前記ライティングダクトの係合部に係合される取付け側係合部と、
前記取付け側係合部にインサート成型され、当該取付け側係合部と一体になって前記ライティングダクトの係合部に係合される取付け側金属部とを有する
ことを特徴とする請求項１から請求項７のうちのいずれか１項記載の送風装置。
【請求項９】
前記取付けプラグは、
前記ライティングダクトの係合部に当接するまで移動可能であり、前記取付け側係合部との間で当該ライティングダクトの係合部を挟み込む取付け側挟持部を有する
ことを特徴とする請求項８記載の送風装置。
【請求項１０】
前記電源接続プラグは、
前記ライティングダクトの係合部に係合される電源側係合部と、
前記電源側係合部にインサート成型され、当該電源側係合部と一体になって前記ライティングダクトの係合部に係合される電源側金属部とを有する
ことを特徴とする請求項１から請求項９のうちのいずれか１項記載の送風装置。
【請求項１１】
前記電源接続プラグは、
前記ライティングダクトの係合部に当接するまで移動可能であり、前記電源側係合部との間で当該ライディングダクトの係合部を挟み込む電源側挟持部を有する
ことを特徴とする請求項１０記載の送風装置。
【請求項１２】
前記ケーシング部は、前記ファンにより生成された気流の空気質を変える空気質変換素子を有する
ことを特徴とする請求項１から請求項１１のうちのいずれか１項記載の送風装置。
【請求項１３】
前記取付けプラグの外部に設けられ、リモコンからの信号を受信するリモコン受信部を備え、
前記制御回路は、前記リモコン受信部により受信された信号に応じて動作する
ことを特徴とする請求項２、請求項５及び請求項７のうちのいずれか１項記載の送風装置。
【請求項１４】
前記制御回路は、近距離無線通信により受信された信号に応じて動作する
ことを特徴とする請求項２、請求項５、請求項７及び請求項１３のうちのいずれか１項記載の送風装置。
【請求項１５】
自機に対応するチャンネルを設定するチャンネル設定部と、
前記チャンネル設定部により設定されたチャンネルに応じてＬＥＤ表示を行うＬＥＤ表示部とを備えた
ことを特徴とする請求項１から請求項１４のうちのいずれか１項記載の送風装置。
【請求項１６】
前記ＬＥＤ表示部は、ＬＥＤの色又はＬＥＤの点灯数を変えて前記ＬＥＤ表示を行う
ことを特徴とする請求項１５記載の送風装置。
【請求項１７】
電気機器を前記ライティングダクトに電気的に接続可能とするプラグ接続端子と、
前記プラグ接続端子への通電を切替える通電切替え素子とを備え、
前記制御回路は、前記通電切替え素子の切替えを制御する
ことを特徴とする請求項２、請求項５、請求項７、請求項１３及び請求項１４のうちのいずれか１項記載の送風装置。
【発明の詳細な説明】
【技術分野】
【０００１】
この発明は、天井又は壁に設置される送風装置に関するものである。
【背景技術】
【０００２】
天井又は壁に設置される従来の送風装置としては、例えば特許文献１に開示された送風装置が知られている。この送風装置は、モータによりファンを回転させて風を吹き送る送風機と、送風機をライティングダクトの所望位置に支持可能とする支持ユニットとを有している。この支持ユニットにより、送風機から吹き送る風の向き及び角度を手動で調節可能としている。また、支持ユニットは、ライティングダクトに対して着脱自在に取付け可能なソケットを有している。このソケットは、ライティングダクトの電力供給用導電部に対して電気的に接続可能であり、また、送風装置の口金を着脱可能に装着可能である。そして、支持ユニットをライティングダクトの所望位置に取付け且つソケットに送風装置の口金を装着した状態で、電力供給用導電部を介して供給された電力をソケットから送風装置の口金に供給し、モータを駆動させて羽根車を回転させる。これにより、所望方向に風を吹き送ることができる。
【０００３】
また、特許文献１では、支持ユニットの一部として振動吸収手段を設けることで、送風機のモータを駆動させて羽根車を回転させている間に生じる振動を吸収することが記載されている。
【０００４】
また、上記のような送風装置では、装置の取付け位置又は電源を得るための配線並びに装置の電源のオンオフ操作を行う操作部が高所にあり、困難を伴っていた。そこで、例えば特許文献２に開示されるような送風装置も知られている。この送風装置では、照明用に使われる角型引掛コンセントを利用し、取付け及び給電を受けるように構成されている。また、送風装置に設けた温度センサからの電気信号により室内の温度を感知し、これにより必要なときにのみ運転を行うように構成されている。
【先行技術文献】
【特許文献】
【０００５】
【特許文献１】実用新案登録第３１７２９００号
【特許文献２】特開平１０−２８１５１４号公報
【発明の概要】
【発明が解決しようとする課題】
【０００６】
上述するように、特許文献１に開示された送風装置では、振動吸収手段により振動を吸収する構造について記載されている。しかしながら、振動吸収手段では振動を絶縁するまでには至っておらず、また、その構造も具体的に示されていない。そのため、回転体であるファンの振動が電力供給用導電部に直接伝わった場合、又は、送風装置の向きを変える等の機構運動又は重心移動による反力によって、電気接点又はライティングダクトとの連結部に重大な影響を及ぼすことが想定される。よって、ファン及びモータの初期的な回転アンバランスを十分小さくした製造を配慮し、且つ、経年的に埃が付着してアンバランス量が増加することに対応するため、高所設置の製品でありながら定期的に清掃を実施してアンバランスを解消する必要があるという課題があった。また、機構運動又は重心移動による反力を生じる首振り運転等の機能を付加することができないという課題があった。特許文献２に開示された送風装置についても上記と同様の課題がある。
【０００７】
また、特許文献２に開示された送風装置では、取付け位置が角型引掛コンセントの位置に制約され、また、最適な循環気流を生成するための最適な風向に装置の向きを変えることができないという課題がある。なお、特許文献１に開示された送風装置では、風向きを変えることはできるが、自動首振り動作による運転はできず、人体に気流を当てて涼風感を得るといった扇風機としての機能性が低いという課題がある。
【０００８】
また、両文献共に、送風装置のオンオフ制御及びその他の制御に関して配慮されていない。特に、上記送風装置では照明用の給電器具を活用しているが、照明とのオンオフ制御の組み合わせが配慮されていない。例えば特許文献１では、ライティングダクトに接続されている照明器等の他の電気機器が個々に電源をオンオフする機能を有していない場合、ライティングダクトに通電されている状態では、それら全ての機器が運転するため、送風装置のみを運転するといった使い方はできない。
【０００９】
この発明は、上記のような課題を解決するためになされたもので、電動機及びファンによる振動が、電源接続プラグの電気接点に直接伝わることを防止することができる送風装置を提供することを目的としている。
【課題を解決するための手段】
【００１０】
この発明に係る送風装置は、電動機及び当該電動機により回転するファンを有するケーシング部と、ケーシング部を支持する支持部材と、支持部材をライティングダクトに固定する取付けプラグと、ライティングダクトの電極に電気的に接続される電気接点を有し、取付けプラグとは別体に構成された電源接続プラグと、電動機と電気接点とを接続する電源コードとを備えたものである。
【発明の効果】
【００１１】
この発明によれば、上記のように構成したので、電動機及びファンによる振動が、電源接続プラグの電気接点に直接伝わることを防止することができる。
【図面の簡単な説明】
【００１２】
【図１】この発明の実施の形態１に係る送風装置の構成例を示す一部断面側面図である。
【図２】この発明の実施の形態１に係る送風装置の構成例を示す一部断面正面図である。
【図３】この発明の実施の形態１に係る送風装置の構成例を示す斜視図である。
【図４】この発明の実施の形態１における取付けプラグの構成例を示す一部断面正面図である。
【図５】この発明の実施の形態１における取付けプラグの係合部の構成例を示す拡大断面図である。
【図６】この発明の実施の形態１における電源接続プラグの構成例を示す一部断面正面図である。
【図７】この発明の実施の形態１における電源接続プラグの係合部の構成例を示す拡大断面図である。
【図８】この発明の実施の形態２に係る送風装置の構成例を示す一部断面斜視図である。
【図９】この発明の実施の形態２における取付けプラグの構成例を示す拡大断面図である。
【図１０】この発明の実施の形態３に係る送風装置の構成例を示す一部断面正面図である。
【図１１】この発明の実施の形態４における取付けプラグの構成例を示す一部断面正面図である。
【図１２】この発明の実施の形態５におけるケーシング部の構成例を示す側面断面図である。
【図１３】この発明の実施の形態５におけるケーシング部の別の構成例を示す側面断面図である。
【図１４】この発明の実施の形態６に係る送風装置の構成例を示す側面図である。
【図１５】この発明の実施の形態７に係る送風装置の構成例を示す側面図である。
【図１６】この発明の実施の形態８に係る送風装置の構成例を示す側面図である。
【図１７】この発明の実施の形態８に係る送風装置でのＬＥＤ表示例を示す図である。
【図１８】この発明の実施の形態９に係る送風装置の構成例を示す側面図である。
【図１９】この発明の実施の形態９に係る送風装置の構成例を示すブロック図である。
【発明を実施するための形態】
【００１３】
以下、この発明の実施の形態について図面を参照しながら詳細に説明する。
実施の形態１．
図１はこの発明の実施の形態１に係る送風装置１の構成例を示す一部断面側面図であり、図２は一部断面正面図であり、図３は斜視図である。
送風装置１は、室内の天井面２又は壁面に設けられたライティングダクト３に設置され、所望方向に風を吹き送るものである。なお図１では、天井面２にライティングダクト３が設置された場合を示している。この送風装置１は、図１に示すように、ケーシング部１１、支持部材１２及び接続プラグ部１３を備えている。また、接続プラグ部１３は、別体に構成された取付けプラグ１４及び電源接続プラグ１５を有している。
【００１４】
ケーシング部１１は、円筒形の本体ケーシング１１１の内部に、電動機１１２と、電動機１１２により回転するファン１１３とが取付けられたものである。また、本体ケーシング１１１には、一方の端部に吸込み口１１４が設けられ、他方の端部に吹出し口１１５が設けられている。
【００１５】
支持部材１２は、ケーシング部１１を支持するものであり、図２，３に示すように、逆Ｕ字状に折り曲げられた板状部材から構成されている。この支持部材１２の両端部には、ケーシング部１１を支持部材１２に連結するケーシング連結部１２１が設けられている。このケーシング連結部１２１は、ケーシング部１１を、ライティングダクト３の設置面に対して垂直な面に沿って回動可能（図では上下方向に回動可能）に連結している。また、図１，３に示すように、本体ケーシング１１１とケーシング連結部１２１との連結位置３０１は、２か所のケーシング連結部１２１を通る軸線３０２にケーシング部１１の重心３０３が極力一致するように構成されている。また、支持部材１２の中央には、支持部材１２を取付けプラグ１４に連結する支持部材連結部１２２が設けられている。この支持部材連結部１２２は、支持部材１２を、ライティングダクト３の設置面の垂線周りに回動可能（図では水平方向に回動可能）に連結している。
【００１６】
取付けプラグ１４は、支持部材１２をライティングダクト３に固定するものである。この取付けプラグ１４には、図４，５に示すように、樹脂製のプラグケース１４１の上面に、ライティングダクト３の係合部３１に係合される係合部（取付け側係合部）１４２が設けられている。この係合部１４２は、プラグケース１４１とともに樹脂成型される。また図５に示すように、係合部１４２の内部には、係合部１４２と一体になってライティングダクト３の係合部３１に係合される金属フック（取付け側金属部）１４３がインサート成型されている。
【００１７】
また、電源接続プラグ１５からの電力は、電源入力コード１６、及び取付けプラグ１４内で電源入力コード１６に接続される電源出力コード１７を介して電動機１１２に供給される。
また、取付けプラグ１４には、プラグケース１４１の内部に、制御回路（不図示）１４４を設けることも可能であり、この制御回路１４４は、電動機１１２の制御（電動機１１２のオンオフ制御、ファン１１３の風量制御等）を行う。この制御回路１４４は、電源入力コード１６を介して電源接続プラグ１５から電力が供給され、また、リモコン（不図示）４からの信号を受信する機能を有している。そして、制御回路１４４は、リモコン４から受信した信号に応じて、電源出力コード１７を介して電動機１１２に電力を供給することで、電動機１１２の制御を行う。
なお、電源入力コード１６及び電源出力コード１７は本発明の電源コードを構成する。
【００１８】
電源接続プラグ１５は、取付けプラグ１４とは別体に構成され、ライティングダクト３に電気的に接続されるものである。この電源接続プラグ１５には、図６，７に示すように、樹脂製のプラグケース１５１の上面に、ライティングダクト３の係合部３１に係合される係合部（電源側係合部）１５２が設けられている。この係合部１５２は、プラグケース１５１とともに樹脂成型される。また図７に示すように、係合部１５２の内部には、係合部１５２と一体になってライティングダクト３の係合部３１に係合される金属フック（電源側金属部）１５３がインサート成型されている。また、係合部１５２には、ライティングダクト３の電極３２に電気的に接続される電気接点（電気接点）１５４が設けられている。また、電動機１１２と電気接点１５４とは、電源入力コード１６及び電源出力コード１７によって電気的に接続されている。また上記では、電源接続プラグ１５からの電力は、電源入力コード１６、及び取付けプラグ１４内で電源入力コード１６に接続される電源出力コード１７を介して電動機１１２に供給されると示した。しかしながら、これに限るものでもなく、電源接続プラグ１５から直接電源コード１６を介して電動機１１２へ供給することも可能である。
【００１９】
以上のように、この実施の形態１によれば、電動機１１２及び当該電動機１１２により回転するファン１１３を有するケーシング部１１と、ケーシング部１１を支持する支持部材１２と、支持部材１２をライティングダクト３に固定する取付けプラグ１４と、ライティングダクト３の電極３２に電気的に接続される電気接点１５４を有し、取付けプラグ１４とは別体に構成された電源接続プラグ１５と、電動機１１２と電気接点１５４とを接続する電源コード（電源入力コード１６及び電源出力コード１７）とを備えたので、電動機１１２及びファン１１３による振動が、電源接続プラグ１５の電気接点１５４に直接伝わることを防止することができる。すなわち、電動機１１２及びファン１１３の初期的な回転アンバランスによって、また、経年的に埃が付着してアンバランス量が増加することによって生じた振動は、柔軟構造体である電源コードによって吸収され、電気接点１５４に振動が直接伝達することはない。よって、電気接点１５４の摩耗及びそれによる接触不良等の影響を小さくすることができ、製品の信頼性を向上することができる。
【００２０】
また、本発明では、本体ケーシング１１１とケーシング連結部１２１との連結位置３０１を、２か所のケーシング連結部１２１を通る軸線３０２にケーシング部１１の重心３０３が極力一致ように構成したので、モーメントに対するバランスを取ることができ、振動による影響を小さくすることができる。
また、ケーシング連結部１２１は本体ケーシング１１１を支持部材１２に対して上下方向に回動可能に連結し、支持部材連結部１２２は支持部材１２を取付けプラグ１４に対して水平方向に回動可能に連結しているため、ケーシング部１１を上下方向及び水平方向に回転することができ、風向を任意の向きに変えることができる。
【００２１】
また、図５のように、樹脂成型された係合部１４２の内部に金属フック１４３をインサート成型したので、送風装置１全体の荷重を、係合部１４２と金属フック１４３の両者で受けることになり、より強度を増すことができる。
【００２２】
また上記では、取付けプラグ１４に、電動機１１２を制御する制御回路１４４を設けることが可能であると示した。しかしながら、これに限るものではなく、電源接続プラグ１５に制御回路１４４を設けることも可能である。
【００２３】
実施の形態２．
実施の形態２では、ケーシング部１１を自動で首振り運動させる構成を示す。
図８はこの発明の実施の形態２に係る送風装置１の構成例を示す一部断面斜視図である。図８に示す実施の形態２に係る送風装置１は、図１〜３に示す実施の形態１に係る送風装置１の取付けプラグ１４及びケーシング連結部１２１の内部構成を変更したものである。その他の構成は同様であり、同一の符号を付してその説明を省略する。
【００２４】
実施の形態２における取付けプラグ１４には、図８，９に示すように、プラグケース１４１の内部に、ギアモータ１４５が設けられている。そして、ギアモータ１４５の出力軸１４５１には、クランク１４６１、リンク１４６２及びアーム１４６３から成る４節リンク機構１４６が接続されている。クランク１４６１は、一方の面がギアモータ１４５の出力軸１４５１に連結され、他方の面の円周上に係合突起１４６４が設けられたものである。また、リンク１４６２は、一端がクランク１４６１の係合突起１４６４に回動可能に連結されたものである。また、アーム１４６３は、一端がリンク１４６２の他端に回動可能に連結されたものである。そして、アーム１４６３の他端は軸受１４７を介して支持部材連結部１２２に連結されている。
【００２５】
なお、４節リンク機構１４６を構成するクランク１４６１、リンク１４６２及びアーム１４６３は、それぞれの長さが、クランク１４６１の回転運動をアーム１４６３の往復運動に変えるように設定されている。そのため、ギアモータ１４５の出力軸１４５１が回転することで、アーム１４６３が水平方向に往復運動をし、アーム１４６３に連結された支持部材１２が水平方向に回動（首振り）をする。支持部材１２では、電動機１１２及びファン１１３を内蔵したケーシング部１１を支持しているので、ケーシング部１１全体が水平方向に回動（首振り）をすることになり、水平方向に風向を変えることができる。
【００２６】
また、図示はしていないが、実施の形態２におけるケーシング連結部１２１についても、取付けプラグ１４と同様に構成されている。すなわち、ケーシング連結部１２１の内部に、ギアモータが設けられている。そして、ギアモータの出力軸には、クランク、リンク及びアームから成る４節リンク機構が接続されている。クランクは、一方の面がギアモータの出力軸に連結され、他方の面の円周上に係合突起が設けられたものである。また、リンクは、一端がクランクの係合突起に回動可能に連結されたものである。また、アームは、一端がリンクの他端に回動可能に連結されたものである。そして、アームの他端は軸受を介してケーシング部１１に連結されている。
【００２７】
なお、４節リンク機構を構成するクランク、リンク及びアームは、それぞれの長さが、クランクの回転運動をアームの往復運動に変えるように設定されている。また、ギアモータの出力軸及び軸受の向きは、２か所のケーシング連結部１２１を通る軸線３０２に平行になるように配置されている。そのため、ギアモータの出力軸が回転することで、アームが上下方向に往復運動をし、アームに連結されたケーシング部１１が上下方向に回動（首振り）をするため、上下方向に風向を変えることができる。
【００２８】
また、取付けプラグ１４に内蔵された制御回路１４４では、実施の形態１における機能に加え、取付けプラグ１４のギアモータ１４５及びケーシング連結部１２１のギアモータの制御（オンオフ制御等）を行う。この際、制御回路１４４では、リモコン４から受信した信号に応じて、リード線１４８を介して取付けプラグ１４のギアモータ１４５に電力を供給し、また、電源出力コード（不図示）を介してケーシング連結部１２１のギアモータに電力を供給することで、制御を行う。
【００２９】
以上のように、この実施の形態２によれば、制御回路１４４により、ケーシング連結部１２１及び支持部材１２の回動を制御するように構成したので、実施の形態１における効果に加え、ケーシング部１１の首振り運転を自動で行うことができ、風の向きを変化させることができる。
また、制御回路１４４では、リモコン４から受信した信号に応じて上記回動を制御することで、使用者はリモコン操作によって簡単に首振り運転の操作をすることができる。
【００３０】
また、首振り運動によって送風装置１全体の重心変化又は反力が生じても、電気接点１５４を有し電力を供給する電源接続プラグ１５は、取付けプラグ１４とは分離されているため、電気接点１５４に影響を与えることはない。
また、取付けプラグ１４の係合部１４２の内部に金属フック１４３をインサート成型することで、首振り運動による送風装置１全体の重心変化又は反力に対してより耐力が増し、このような機構構造を搭載することが可能となる。
【００３１】
なお上記では、ケーシング部１１の水平方向及び上下方向の首振りを自動で行う場合を示したが、どちらか一方の方向のみの首振りを自動で行うようにしてもよい。
【００３２】
実施の形態３．
図１０はこの発明の実施の形態３に係る送風装置１の構成例を示す一部断面正面図である。この図１０に示す実施の形態３に係る送風装置１は、図１〜３に示す実施の形態１に係る送風装置１に振動絶縁機構１８を追加したものである。その他の構成は同様であり、同一の符号を付してその説明を省略する。
【００３３】
振動絶縁機構１８は、支持部材１２又は取付けプラグ１４設けられ、ケーシング部１１からの振動を絶縁するものである。図１０の例では、振動絶縁機構１８として防振体を用い、支持部材連結部１２２に配置した場合を示している。この振動絶縁機構１８により、ケーシング部１１からの振動が、取付けプラグ１４を介して電源接続プラグ１５の電気接点１５４に伝達することを防止することができる。
【００３４】
なお上記では、実施の形態１の構成に振動絶縁機構１８を設けた場合を示したが、これに限るものではなく、実施の形態２の構成に振動絶縁機構１８を設けてもよい。
【００３５】
実施の形態４．
図１１はこの発明の実施の形態４における取付けプラグ１４の構成例を示す一部断面正面図である。この図１１に示す実施の形態４における取付けプラグ１４は、図４に示す実施の形態４における取付けプラグ１４に挟持部（取付け側挟持部）１４９を追加したものである。その他の構成は同様であり、同一の符号を付してその説明を省略する。
【００３６】
挟持部１４９は、ライティングダクト３の係合部３１に当接するまで移動可能であり、係合部１４２との間で当該係合部３１を挟み込むものである。この挟持部１４９は、取付けプラグ１４の円筒形状（概円筒形状の意味を含む）のネック部に施されたネジ部１４９１と、当該ネジ部１４９１に螺合する固定ナット１４９２とを有している。固定ナット１４９２は、ネジ部１４９１に嵌り合い、回転されることでネジ部１４９１に沿って上方向又は下方向に移動する。
【００３７】
そして、取付けプラグ１４をライティングダクト３に取付ける場合には、まず、係合部１４２をライティングダクト３の係合部３１に係合させて内側面３１１に当接させる。その後、固定ナット１４９２をネジ部１４９１によって上方向に移動させる。そして、固定ナット１４９２を係合部３１の外側面３１２に当接させる。これにより、係合部１４２と挟持部１４９との間で、ライティングダクト３の係合部３１を挟持することができる。
【００３８】
これにより、取付けプラグ１４を隙間なく強固にライティングダクト３に固定できるため、支持している送風装置１の振動又は首振り動作による反力によって、係合部１４２がライティングダクト３に対して相対的に動くことがない。よって、係合部１４２に擦れ等が発生して破損に至ることを防止できる。
なおこの構成では、固定ナット１４９２と係合部１４２とでライティングダクト３の係合部３１を挟み込むため、樹脂製の係合部１４２にも反力が加わる。しかしながら、係合部１４２の内部に金属フック１４３をインサート成型することで、それに耐える強度を確保することができる。
【００３９】
以上のように、この実施の形態４では、取付けプラグ１４にライティングダクト３の係合部３１を挟持する挟持部１４９を設けたので、実施の形態１における効果に加え、より強固にライティングダクト３に接続でき、振動を抑え込むことができる。
また、ライティングダクト３への取付け強度を増すことで、ケーシング部１１を上下方向及び水平方向に自動で首振りする機能を搭載することがより容易となり、より製品の機能性を向上することができる。
【００４０】
なお上記では、実施の形態１の構成に挟持部１４９を設けた場合を示した。しかしながら、これに限るものではなく、実施の形態２，３の構成に挟持部１４９を設けてもよい。
また上記では、取付けプラグ１４に挟持部１４９を設けた場合を示したが、電源接続プラグ１５に挟持部（電源側挟持部）を設けてもよく、上記と同様の効果を得ることができる。
【００４１】
実施の形態５．
図１２，１３はこの発明の実施の形態５におけるケーシング部１１の構成例を示す側面断面図である。図１２，１３に示す実施の形態５におけるケーシング部１１は、図１〜３に示す実施の形態１に係る送風装置１のケーシング部１１に空気質変換素子１９を追加したものである。その他の構成は同様であり、同一の符号を付してその説明を省略する。
【００４２】
空気質変換素子１９は、ファン１１３により生成された気流の空気質を変える機能を有し、本体ケーシング１１１の吹出し口１１５に内蔵されたものである。図１２では空気質変換素子１９としてヒータ１９ａを用いた場合を示しており、冬季に部屋の冷気溜りに温風を送ることができる。また、図１３では空気質変換素子１９として芳香フィルタ１９ｂを用いた場合を示し、中間期又は夏季において、好みの香りを気流に乗せて涼感を得ることができる。また、その他にも空気質変換素子１９として脱臭フィルタ又は除塵フィルタを用いることで、室内空気を清浄しながら涼風を得ることができる。
【００４３】
なお上記では、実施の形態１の構成に空気質変換素子１９を設けた場合を示した。しかしながら、これに限るものではなく、実施の形態２〜４の構成に空気質変換素子１９を設けてもよい。
【００４４】
実施の形態６．
実施の形態１では、制御回路１４４にリモコン４からの信号を受信する機能を設けた場合を示した。それに対し、実施の形態６では、取付けプラグ１４の外部にリモコン受光部２０を設けた場合を示す。
図１４はこの発明の実施の形態６に係る送風装置１の構成例を示す側面図である。図１４に示す実施の形態６に係る送風装置１は、図１〜３に示す実施の形態１に係る送風装置１にリモコン受光部２０を追加したものである。その他の構成は同様であり、同一の符号を付してその説明を省略する。なお実施の形態６における制御回路１４４ではリモコン４からの信号を受信する機能は有していない。
【００４５】
リモコン受光部２０は、取付けプラグ１４の外部に設けられ、内部に受光装置を有する電子回路を搭載し、リモコン４からの信号を受信するものである。そして、リモコン受光部２０により受信された信号は通信線２０１を介して取付けプラグ１４内に収納された制御回路１４４に送信される。そして、制御回路１４４では、リモコン受光部２０から送信された信号に応じて動作を行う。
【００４６】
以上のように、この実施の形態６によれば、取付けプラグ１４の外部に設けられたリモコン受光部２０を設けたので、リモコン受光部２０を装置本体（ケーシング部１１、支持部材１２及び接続プラグ部１３）から離れた、ライティングダクト３上の任意の位置に設置できるので、リモコン４からの信号が装置本体又はその他の障害物により遮断されない位置にリモコン受光部２０を設置することができ、リモコン操作の操作性を向上させることができる。
【００４７】
なお上記では、実施の形態１の構成にリモコン受光部２０を設けた場合を示した。しかしながら、これに限るものではなく、実施の形態２〜５の構成にリモコン受光部２０を設けてもよい。
【００４８】
実施の形態７．
実施の形態１では、制御回路１４４にリモコン４からの信号を受信する機能を設けた場合を示した。それに対し、実施の形態７では、制御回路１４４にブルートゥース（登録商標）等の近距離無線通信により信号を受信する機能を設けた場合を示す。
図１５はこの発明の実施の形態７に係る送風装置１の構成例を示す側面図である。図１５に示す実施の形態７に係る送風装置１は、図１〜３に示す実施の形態１に係る送風装置１の制御回路１４４の構成を変更したものである。その他の構成は同様であり、同一の符号を付してその説明を省略する。
【００４９】
実施の形態７における制御回路１４４では、実施の形態１における制御回路１４４に対し、リモコン４からの信号を受信する機能に代えて、近距離無線通信により受信された信号を受信する機能を有し、受信した信号に応じて動作を行う。
このように、制御回路１４４に近距離無線通信の機能を付加することで、スマートフォン又はタブレット等の端末５による遠隔操作が可能となり、リモコン受光部２０及びリモコン４が不要となる。また、ブルートゥース等の近距離無線通信では、リモコン４のような指向性がなく遮蔽物があっても通信可能なため、障害物の影響を無視することができ、実施の形態６の構成よりも操作性が向上する。
【００５０】
なお図１５の構成に対してリモコン受光部２０を更に付加し、リモコン４及び端末５の両方からの操作を可能としてもよい。
また上記では、実施の形態１の構成に近距離無線通信機能を有する制御回路１４４を設けた場合を示した。しかしながら、これに限るものではなく、実施の形態２〜５の構成に近距離無線通信機能を有する制御回路１４４を設けてもよい。
【００５１】
実施の形態８．
図１６はこの発明の実施の形態８に係る送風装置１の構成例を示す側面図である。この図１６に示す実施の形態８に係る送風装置１は、図１４に示す実施の形態６に係る送風装置１を複数設け、送風装置１毎にチャンネル設定スイッチ１１６及びチャンネル表示ＬＥＤ１１７を追加したものである。その他の構成は同様であり、同一の符号を付してその説明を省略する。
【００５２】
チャンネル設定スイッチ１１６は、自機（送風装置１）に対するチャンネルを設定するものである。
チャンネル表示ＬＥＤ１１７は、チャンネル設定スイッチ１１６により設定されたチャンネルに応じてＬＥＤ表示を行うものである。ここで、ＬＥＤの表示例としては、図１７に示すように、ＬＥＤの色又はＬＥＤの点灯数を変える等の方法がある。
また、図１６の例では、ケーシング部１１にチャンネル設定スイッチ１１６及びチャンネル表示ＬＥＤ１１７を設けた場合を示している。
【００５３】
実施の形態８の構成では、リモコン４により所望の送風装置１のチャンネルを選択することで、当該送風装置１のみを動作させることができ、複数の送風装置１を１台のリモコン４で個別に制御することができる。また、送風装置１にはチャンネル表示ＬＥＤ１１７を設けており、送風装置１がどのチャンネルに設定されているかを一目で確認することができ、対応チャンネルの視認性に優れた送風装置１を得ることができる。
【００５４】
なお上記では、実施の形態６の構成にチャンネル設定スイッチ１１６及びチャンネル表示ＬＥＤ１１７を設けた場合を示した。しかしながら、これに限るものではなく、実施の形態１〜５，７の構成にチャンネル設定スイッチ１１６及びチャンネル表示ＬＥＤ１１７を設けてもよい。
【００５５】
実施の形態９．
図１８はこの発明の実施の形態９に係る送風装置１の構成例を示す図であり、図１９はブロック図である。この図１８，１９に示す実施の形態９に係る送風装置１は、図１４に示す実施の形態６に係る送風装置１にプラグ接続端子２１及び通電切替え素子１４４１を追加したものである。その他の構成は同様であり、同一の符号を付してその説明を省略する。
【００５６】
プラグ接続端子２１は、照明６等の他の電気機器をライティングダクト３に電気的に接続するものである。このプラグ接続端子２１は、図１９に示すように、一方の電極がライティングダクト３の一方の電極３２に接続され、他方の電極が電源線２１１を介してライティングダクト３の他方の電極３２にそれぞれ電気的に接続されている。
通電切替え素子１４４１は、ライティングダクト３の上記他方の電極３２と電源線２１１との間に配置され、プラグ接続端子２１への通電を切替えるものである。図１９の例では、通電切替え素子１４４１は、制御回路１４４に内蔵されている。
【００５７】
そして、制御回路１４４は、リモコン４からの信号に応じて通電切替え素子１４４１の切替えを制御する。これにより、照明６等の他の電気機器と送風装置１とを個別に運転することが可能となる。なお図１９において、符号１４４２は制御回路１４４内のマイコンを示し、符号１４４３は電動機１１２への通電を切替える通電切替え素子を示している。
【００５８】
以上のように、この実施の形態９によれば、電気機器をライティングダクト３に電気的に接続可能とするプラグ接続端子２１と、プラグ接続端子２１への通電を切替える通電切替え素子１４４１とを備え、制御回路１４４は、通電切替え素子１４４１の切替えを制御するように構成したので、送風装置１と他の電気機器を個別にオンオフ制御することが可能となる。
【００５９】
なお上記では、実施の形態６の構成にプラグ接続端子２１及び通電切替え素子１４４１を設けた場合を示した。しかしながら、これに限るものではなく、実施の形態１〜５，７，８の構成にプラグ接続端子２１及び通電切替え素子１４４１を設けてもよい。
【００６０】
また、本願発明はその発明の範囲内において、各実施の形態の自由な組み合わせ、あるいは各実施の形態の任意の構成要素の変形、もしくは各実施の形態において任意の構成要素の省略が可能である。
【００６１】
１  送風装置、２  天井面、３  ライティングダクト、４  リモコン、５  端末、６  照明、１１  ケーシング部、１２  支持部材、１３  接続プラグ部、１４  取付けプラグ、１５  電源接続プラグ、１６  電源入力コード、１７  電源出力コード、１８  振動絶縁機構、１９  空気質変換素子、１９ａ  ヒータ、１９ｂ  芳香フィルタ、２０  リモコン受光部、２１  プラグ接続端子、３１  係合部、３２  電極、１１１  本体ケーシング、１１２  電動機、１１３  ファン、１１４  吸込み口、１１５  吹出し口、１１６  チャンネル設定スイッチ、１１７  チャンネル表示ＬＥＤ、１２１  ケーシング連結部、１２２  支持部材連結部、１４１  プラグケース、１４２  係合部、１４３  金属フック、１４４  制御回路、１４５  ギアモータ、１４６  ４節リンク機構、１４７  軸受、１４８  リード線、１４９  挟持部、１５１  プラグケース、１５２  係合部、１５３  金属フック、１５４  電気接点、２０１  通信線、２１１  電源線、３１１  内側面、３１２  外側面、１４４１  通電切替え素子、１４４２  マイコン、１４４３  通電切替え素子、１４５１  出力軸、１４６１  クランク、１４６２  リンク、１４６３  アーム、１４６４  係合突起、１４９１  ネジ部、１４９２  固定ナット。
【図１】
2017066987.tif 000003
【図２】
2017066987.tif 000004
【図３】
2017066987.tif 000005
【図４】
2017066987.tif 000006
【図５】
2017066987.tif 000007
【図６】
2017066987.tif 000008
【図７】
2017066987.tif 000009
【図８】
2017066987.tif 000010
【図９】
2017066987.tif 000011
【図１０】
2017066987.tif 000012
【図１１】
2017066987.tif 000013
【図１２】
2017066987.tif 000014
【図１３】
2017066987.tif 000015
【図１４】
2017066987.tif 000016
【図１５】
2017066987.tif 000017
【図１６】
2017066987.tif 000018
【図１７】
2017066987.tif 000019
【図１８】
2017066987.tif 000020
【図１９】
2017066987.tif 000021